(57)【要約】料理用容器は、特に深鍋又は浅鍋用の取っ手（１０）を有し、取っ手のつかみ領域（１５）は金属製である。この場合、取っ手は、料理用容器に固定するための、少なくとも1つの、第1の実質的に金属の固定部分（１２）、移行部分（１３）、及び、実質的に金属のつかみ部分（１４，１５）を有する。移行部分（１３）は、隣の部分（１２及び１４，１５）に比べ小さい金属断面を有し、移行部分（１３）がそれぞれ、隣の部分（１２及び１４，１５）に一体的に結合された金属部分（２３）及びセラミック片（９０）を含むか、又は、セラミック片だけを含み、セラミック片（９０）は、隣の金属部分（１２，２３，１４）に、はめ込まれて結合される。この結果、取っ手（１０）の安定性を損うことなく、つかみ領域（１５）における熱伝導率が低減される。【選択図】図１
2009513195.tif 000002
【特許請求の範囲】
【請求項１】
特に取っ手付深鍋又は浅鍋用の取っ手（１０，２０，３０，４０，１００）を具備する料理用容器であって、
前記取っ手のつかみ領域（１５）は金属製であり、
前記取っ手は、料理用容器に固定するための、少なくとも1つの、第1の実質的に金属製の固定部分（１２）、移行部分（１３）、及び、実質的に金属製のつかみ部分（１４，１５）を有し、
移行部分（１３）は、断面に、隣の部分（１２及び１４，１５）に比べ小さい金属断面を有する料理用容器において、
移行部分（１３）がそれぞれ、隣の部分（１２及び１４，１５）に一体的に結合する金属部分（２３）及び熱障壁（８０，９０，１１０）からなるか、又は、熱障壁（７０）だけからなり、熱障壁（７０，８０，９０，１１０）が、隣の金属部分（１２，２３，１４）に、はめ込み（ｉｎｔｅｒｌｏｃｋｉｎｇ）又は圧入（ｆｏｒｃｅ−ｔｒａｎｓｍｉｔｔｉｎｇ）により結合していることを特徴とする料理用容器。
【請求項２】
熱障壁（７０，８０，９０，１１０）のカバー面（７１，９１）は、隣接する金属部分（１２，２３，１４）と同一平面、又は、ほぼ同一平面であることを特徴とする、請求項１に記載の料理用容器。
【請求項３】
固定部分（１２）は、５〜２５ミリメータ、特に１０〜１５ミリメータの長さを有することを特徴とする、請求項１又は２に記載の料理用容器。
【請求項４】
移行部分（１３）は、１０〜３０ミリメータ、特に好ましくは１５〜２５ミリメータの長さを有することを特徴とする、請求項１〜３のいずれか１項に記載の料理用容器。
【請求項５】
熱障壁（７０，９０）が、軸方向に中央の穴（７４，９４）を有し、隣接部分（１２，１４）が、これと並ぶ穴（１８，１３）を具備する横方向に配置される閉鎖面（１７，３７）を有し、及び、上記穴を通して挿入し、取っ手（１０，３０）に対し熱障壁（７０，９０）を支えるために、ピン、ネジ又はバネ座金（７５，９５）を設けることを特徴とする、請求項１〜４のいずれか１項に記載の料理用容器。
【請求項６】
熱障壁（８０）は、長手方向に延びる溝（８２）を有し、及び、部分（１２，１４）に差し込み、取っ手（２０）に対し熱障壁（８０）を支えるために、クリップ（８５）が設けられていることを特徴とする、請求項１〜４のいずれか１項に記載の料理用容器。
【請求項７】
熱障壁（６０，７０，８０，９０）は、移行部分（１３）の端の下方に突き出る突起（８３）を有することを特徴とする、請求項１〜６のいずれか１項に記載の料理用容器。
【請求項８】
熱障壁（６０，７０，８０，９０，１１０）は、２５０℃より高い温度に耐え、５Ｗｋ−１ｍ−１未満の熱伝導率を有する材料からなることを特徴とする、請求項１〜７のいずれか１項に記載の料理用容器。
【請求項９】
熱障壁（６０，７０，８０，９０，１１０）は、有利には、酸化ジルコニウム、ケイ酸アルミニウム・マグネシウム及びガラス・セラミックから選択されるセラミック材料、又は、プラスチック材料からなることを特徴とする、請求項１〜８のいずれか１項に記載の料理用容器。
【請求項１０】
熱障壁（６０，７０，８０，９０，１１０）は、料理用容器の底に平行な平面に対し対称的に配置された、又は、料理用容器の底に垂直に配置され、取っ手（１０，２０，３０，４０）の長手方向の軸を含む平面に対し対称的に配置されたカバー面を有し、及び、この場合、熱障壁（６０，７０，８０，９０，１１０）は、１２０〜２７０度、好ましくは約１８０度の角度を覆うことを特徴とする、請求項１〜９のいずれか１項に記載の料理用容器。
【発明の詳細な説明】
【技術分野】
【０００１】
本発明は、取っ手付料理用容器、特に取っ手付深鍋又は浅鍋に関し、前記取っ手のつかみ領域は金属製で、取っ手は料理用容器に固定するための少なくとも1つの第1の実質的に金属製の固定部分、移行部分、及び、実質的に金属製のつかみ部分を有し、移行部分が、断面に、隣の部分に比べて小さい金属断面を有する取っ手付料理用容器に関する。
【背景技術】
【０００２】
従来技術では、つかみ部付きのこの種の料理用容器がたくさん開示されており、これらには、熱的ブレーキとして働く、料理用容器自体へ移行するゾーンがある。ＦＲ２，７３０，３９９には、一体型で平らな、水平に配置された金属製部材からなる、この種のつかみ部が開示されており、このつかみ部は、料理用容器に近い領域に穴部があり、この穴部により、金属の熱伝導性断面が局所的に小さくなり、料理容器からより遠いつかみ領域が使用者にとって過度に熱くなりにくくなる。
【０００３】
ＵＳ５，１２１，８４８には、その中央で曲げられ、つかみ領域に対して２つの中空の半殻を形成するただ1つの穿孔部材からなる金属製の取っ手を具備する浅鍋が開示されている。料理用容器に近い領域において、料理用容器に結合している取っ手の２つの端部は、容器の底平面に垂直であり、これらの間に、例えば浅鍋から立ち上がる熱風がそこを通って昇ることのできる導管を形成する。
【０００４】
ＤＥ９２１１４６５Ｕ１には、深鍋から立ち上がる温風の通路となる細長い隙間が、取っ手に隣接しているエッジ領域に設けられた、料理用容器が開示されている。
【０００５】
従来技術による装置は全て、料理用容器から立ち上がる暖かい空気やガスの通り抜けを容易にすることを意図されているため、暖かい空気とガスが取っ手を過度に暖めることはない。
【０００６】
これらのうちいくつかは、使用者が取り扱いにくい、非常に簡単な構造である。さらに、様々な導管を設けることは、続くつかみ領域の弱体化、とりわけ比較的長い期間使用するときには、特に比較的大きな深鍋又は浅鍋が満杯の場合、取っ手が不安定になる。
【発明の開示】
【発明が解決しようとする課題】
【０００７】
この従来技術を発端として、本発明は、改良された取っ手を有し、従来技術の上記の難点を回避する料理用容器を開示するという目的に基づいている。「料理用容器」という用語には、制限なく、浅鍋、深さのあるフライパン（ｈｉｇｈ−ｓｉｄｅｄ  ｆｒｙｉｎｇ  ｐａｎｓ）、キャセロール鍋、深鍋等、究極的には、熱が誘導、熱線又はガスの炎により発生するかどうかに関係なく、台所のホットプレート又は加熱面に置くことのできるすべての台所用品を含む。
【課題を解決するための手段】
【０００８】
この目的は、移行部分がそれぞれ、隣の部分に一体的に結合している金属部分及び熱障壁から、又は、熱障壁だけからなり、熱障壁が、はめ込み（ｉｎｔｅｒｌｏｃｋｉｎｇ）又は圧入（ｆｏｒｃｅ−ｔｒａｎｓｍｉｔｔｉｎｇ）により、隣の金属部分に結合しているという、請求項１の特徴による、改良された取っ手を具備する料理用容器によって達成される。
【０００９】
従って、熱障壁は、取っ手の安定性を損うことなく、つかみ領域への熱伝導を低減することができる。
【００１０】
さらなる有利な実施形態は、従属請求項で特徴付けられる。
【発明を実施するための最良の形態】
【００１１】
本発明を、幾つかの例示である実施形態に基づき、図を参照して説明する。
図１は、本発明の第１の例示の実施形態による料理用容器（図には示さず）のための取っ手１０を示す。取っ手１０は、例えば、Ｕ字形で、その２つの自由端１１で料理用容器に固定される。しかしながら、Ｌ字形で、料理用容器に固定するための自由端１１を1つだけ有することも可能である。本発明では、好ましくは、プロジェクション溶接等による料理用容器への固定が、取っ手の取り付け後に行われる。
【００１２】
有利には、このワン・ピース型の取っ手１０は金属製及び中空で、管、又は板金部品から製造されるか、又は、例えば鍛造又は鋳造により固体材料から製造される。両自由端１１は、それぞれ固定領域１２を有することができ、固定領域１２は、移行領域１３及び最後に取っ手領域の第１の部分１４に隣接する。領域１２，１３は、これらの長手方向の軸に対して、両側で、それぞれ、互いに平行に配置されており、つかみ領域１５に垂直である。つかみ領域１５は、使用者が予めつかんでいる鍋つかみ又は類似の補助具を含め、使用者が領域１５を手で都合良く握れる長さを有する。
【００１３】
部分１４は、止めピン９５の突き出る長さを受けるのに十分であれば（以下参照）、その構造が非常に短いことも可能であるが、有利には、部分１２，１３と並んで設けられている。部分１２は、料理用容器の例である深鍋に固定されており、通常、深鍋の中央に真っ直ぐ半径方向には向いていない。半径方向からの偏差は、つかみ領域１５の長さ及び料理用容器の大きさによる。つかみ領域１５が接線方向に向いていることは、２つの自由端又は１つの自由端１１を具備するこの種の取っ手１０の簡単な利用には不可欠である。
【００１４】
浅鍋用の取っ手の場合、多くは、ただ1つの棒状の取っ手だけを有することが望ましく、つかみ部分１５は半径方向に向いている。好ましくは、この場合、全ての部分１２，１３，１４がつかみ部分１５とともに半径方向に向いている。
【００１５】
中空の取っ手１０の場合、取っ手を形成する金属スリーブは、断面に、取っ手１０の全直径の２０分の１〜８分の１のカバー金属厚さを有することができる。移行領域１３においては、取っ手１０のカバー材料の一部の領域が除かれ、残っている金属領域２３に対し配置されている横の開口部１９を形成する。図１に示された実施形態において、これは、それぞれ取っ手の内側に向いた半分である。従って、上部及び下部のカバー・リム１６が、移行領域１３の上部及び下部領域に形成される。好ましくは、移行領域１３が中空のつかみ部の場合、除かれた領域は、除去されるのではなく、むしろ、内側へ曲げられて、移行領域１３の向かい合う端部に閉鎖領域１７を形成する。閉鎖領域１７は、それぞれ、隣接している領域１２，１４に対して、取っ手１０の全断面を覆うのが有利である。穴１８は、それぞれ、ほぼ中央に、すなわち、部分１２，１４の長手方向軸と並んで、移行領域１７に設けられている。
【００１６】
除かれた領域から生じる横の開口部１９（ここではカバーの５０％であるが、全金属表面領域の３分の１〜３分の２でも可能である。）に、好ましくは、移行領域１３の除かれたカバー面にほぼ対応する外側カバー面９１を有するセラミック片９０が挿入され、領域１２，１３，１４の間に、図１の図の左側に見られるような滑らかな面を形成する。
【００１７】
セラミック片９０は、その内側に向いた側に、有利には、除かれた移行領域１３の開口部１９の前記空洞を満たす外形面９２を有する。従って、セラミック片９０の上部及び下部のリム９３は、移行領域１３の金属スリーブのリム１６上に、はめ込みこれらを閉鎖するように置かれる。セラミック片９０の四つのコーナー・リムは、上部又は下部のカバー・リム１６の対応するコーナー・リム２１と当接するように傾斜させてもよい。
【００１８】
セラミック片９０は、接着又ははんだ付けにより、開口部１９の受け口に固定することができる。好適な接着剤は、片９０の材料と同じように、高い温度、例えば、少なくとも２５０℃及び有利には最大３００℃の温度に耐えなければならない。しかしながら、図示された例示の実施形態によると、セラミック（さもなければ固体材料からなる）片９０には、閉鎖面１７の穴１８と並ぶ、貫通孔９４が設けられており、止めピン９５を取っ手１０の自由端１１からこれらの穴１８及び孔９４を通して挿入することができる。止めピン９５は、この場合、有利には、細長いバネ座金であり、圧縮状態で穴１８，９４を通して挿入され、この後弛緩した状態で取っ手１０にセラミック片９０をしっかりと保持する。
【００１９】
取っ手１０は、この製造工程の後、公知の方法、例えば溶接により料理用容器に固定される。
【００２０】
セラミック片９０の代わりに、プラスチック材料片を本発明のすべての例示の実施形態で使用することもでき、高温、例えば２５０又は３００℃の温度に耐えるプラスチック材料が選択される。
【００２１】
図２は、本発明の第２の例示の実施形態による料理用容器のための取っ手２０を示す。各種例示の実施形態の全ての図において、同一の及び同様の部材は同じ参照番号で示す。この場合においても、取っ手２０は、自由端１１に三つの連続する領域１２，１３，１４を有する。しかしながら、第１の例示の実施形態とは対照的に、開口部１９を最終的に形成する金属材料が、移行領域１３において完全に打ち抜かれ又は除かれ、上部及び下部カバー・リム１６の左及び右隣に横のカバー面２６を形成する。また、リム面１６，２６の間の移行領域は、コーナーが鋭角になるのをさけるために、移行リム２７により接近させられている（ａｐｐｒｏｘｉｍａｔｅ）。三つの領域からなる多角形のリム２７の代わりに、円形又は楕円形の移行領域２７を設けることもできる。
【００２２】
この場合に使用されるセラミック片８０は、第１の例示の実施形態のセラミック片９０同様に、凹部１９と相互作用して、移行領域１３の完全な外側の閉鎖を可能にする、外側カバー面９１を有する。従って、ここでは、リム領域８１は、リム２７とともにコーナーを閉鎖するように構成される。溝８２は、保持クリップ８５を受けるために、取っ手２０に対し内側に設けられる。この場合、セラミック片８０の背部の残りは、移行領域１３のカバー領域の残りに完全には相補的でないように構成される。しかしながら、セラミック片８０の上部及び下部の端部には、それぞれ開口部１９の空洞にリム１６の下方で係合する、突出する突起部８３がある。
【００２３】
取り付け時、留め金の機能を有する保持クリップ８５が、自由端１１から固定部分１２に差し込まれ、部分１２，１４の内側及び外側形状に沿う、横のサイド・アーム領域８６により、領域１２，１４において支えられる。領域１２，１３，１４の主軸に対し平行に延びる、長手方向のクリップ・アーム８７は、この場合、セラミック片８０と取っ手２０の間の、プレストレスで保持されている結合を確実にするため、セラミック片８０の溝８２を空洞１９内でつかむことができるように、空洞１９に配置される。
【００２４】
図３は、取り付け状態での、図２の例示の実施形態を示し、内側の部材を破線で示す。見て明らかなように、セラミック挿入片８０の各部分領域８３は、移行領域１３内のカバーの下方に配置されており、さらなる密封閉鎖を形成する。この場合、セラミック片８０のカバー面９１は、上部及び下部のカバー・リム１６の部分、及び、横のカバー面２６の部分が突き出るように構成されている。すなわち、カバー面９１は、部分１２，１３，１４の面と同一平面に構成されているのではなく、むしろ、わずかに後退している。
【００２５】
図４は、本発明の取っ手３０の、第３の例示の実施形態を示す。この場合、移行領域１３は、第３の取っ手３０の先端部３１が残りの取っ手から分離された結果として形成されており、特に、領域１４から切り離されている。この場合、空洞の管はそれに応じて分割されてもよい。しかしながら、また、図４の例示の実施形態のように、別々に、特に固体材料から製造されてもよい。この点で、図４の取っ手３０の移行領域１３は、セラミック片７０だけからなる。この場合、このセラミック片７０は、隣の部分１２，１４よりいくらか小さい直径で構成されており、小さい端３６が部分１２，１４に対し両側で周囲に突き出る。
【００２６】
しかしながら、セラミック片７０をまた、取っ手と同一平面に構成することもできる。２つの領域１２，１４は、有利には、これらを閉鎖し、それぞれ、有利にはその中心方向及び長手方向に穴３８を有する閉鎖ふた３７を具備して構成される。セラミック片７０これ自体も、同様に、中央の穴７４を有する。
【００２７】
図４の例示の実施形態では、端部領域３１は、薄い金属板ではなく、むしろ、固体材料からなり、円筒穴３２が形成されている。対応するネジ山が部分１４のこの場所に設けられる場合、セラミック部分７０内の穴３３の直径に対応して狭くなっている段を有するこの円筒穴を通して、自由端領域１１から、部分３１、セラミック部分７０及び取っ手３０の残りを穴３３でネジ止めするネジ７５（この場合、六角形の受け口を有する）を、挿入することができる。
【００２８】
最後に、本発明の第４の例示の実施形態による、取り付け状態での、料理用容器のための取っ手４０を図５に示す。セラミック片６０の構造は、第１の例示の実施形態の構造に相当する。見て明らかなように、この場合、セラミックの挿入片６０の各リム９３は、取っ手４０の下側に対し対称的に配置されているため、挿入片６０は下向きである。移行領域１３における取っ手１５の残りのカバー４３は、上向きに配置されており、熱に晒されることがさらに少ない伝導領域を形成する。この場合、セラミック片６０のカバー面は、セラミック片が取っ手４０の下側の面全部を覆うように構成されており、断面において（図示せず）、これは１８０度に相当する。カバーの残りについては、この角度範囲は、１８０度の、実質的に同一の角度となる。セラミック又はプラスチック材料片は、また、例えば、少なくとも１２０度までの（有利には、図１〜３の例示の実施形態における水平面に対し、及び、図５の例示の実施形態における垂直面に対し±６０度）、より小さい角度をとることもできる。また、２７０度までのより大きな角度も可能である。
【００２９】
図６〜８は、本発明の第５の例示の実施形態の斜視図である。同様の部分には、同じ参照番号を付与してある。第５の例示の実施形態は、取っ手１００、セラミック片１１０及びバネ片１２０から概略構成される。
【００３０】
取っ手１００は、カバー端１６及び横のカバー端２６により画定される開口部１９を有する。開口部１９は実質的に矩形である。好ましくは、カバー端１６が横のカバー端２６と合う領域は、移行領域２７により丸くなっている。取っ手１００は中空で、内壁１０３を有する。取っ手１００は、その自由端領域に挿入口１０２をさらに有する。セラミック片１１０及びバネ片１２０は、挿入口１０２を通して、中空の取っ手１００に差し込むことができる。
【００３１】
セラミック片１１０は、カバー・リム１１２を具備するカバー面１１１及び背部１１５を有するセラミック本体１１３から概略構成される。カバー面１１１は、移行領域１３の除かれたカバー面に実質的に対応し、開口部１９にセラミック片１１０を挿入した時、領域１２，１３，１４の間に、なめらかな面を形成する。カバー面１１１はカバー・リム１１２により画定される。この場合、カバー・リム１１２の形状は、カバー端１６、横のカバー端２６及び移行領域２７により画定される開口部１９の輪郭に、実質的に対応するように構成されている。従って、セラミック片１１０は、開口部１９にはめ込むことができる。セラミック片１１０は、はめ込まれるとすぐに、セラミック本体１１３の停止面１１４で、取っ手１００の内壁１０３に当接する。好ましくは、停止面１１４とカバー面１１１の間の距離は、取っ手の壁の厚みに対応する。従って、セラミック片１１０は、カバー面１１１が取っ手１００の外面と同一平面となるように、配置又ははめ込むことができる。
【００３２】
図８は、背後からのセラミック片１１０を示す。セラミック片１１０は、背部１１５に、受け口１１６を有する。背部１１５は、セラミック本体１１３の、カバー側１１１に対して配置される。受け口１１６は、バネ本体１２０の一部分を受け入れることができる。受け口１１６は、実質的に矩形の断面を有する。
【００３３】
バネ片１２０は、中央領域に、バネつまみ１２２を具備する基礎部材１２１を有し、中央領域に隣接している２つの端部領域１２３には、それぞれバネ脚部を有する。バネつまみ１２２及びバネ脚部１２３は、異なる方向に、基礎部材１２１から突き出している。この場合、バネつまみ１２２は、基礎部材１２１から突出するウェブの形である。バネ脚部１２３は、基礎部材から突出する、曲がった脚部として構成されている。バネ脚部１２３は、セラミック片１１０の受け口１１６と係合する。バネ脚部１２３は、端部の曲がった形状により、曲げ圧縮の後、バネ脚部１２３に実質的に垂直なバネ脚部の力を生み出すことができる。
【００３４】
内壁１０３とセラミック本体１１３の間に配置されるバネ片１２０により、バネつまみ１２２は、バネ片１２０を面１１４とともに取っ手の内壁１０３に押し付けるバネ力を生み出す。この場合、バネ脚部１２３は、セラミック本体１１０と係合し、バネつまみ１２２は、開口部１９と反対の内壁１０３の領域に当接する。
【００３５】
バネ片１２０は、第１段階で、セラミック片１１０と連結する。言い換えれば、バネ脚部１２２は、上記受け口１１６と係合する。バネ脚部の力は、バネ片１２０をセラミック片１１０から引き離すことが確実にできないようにする。次に、セラミック片１１０を、バネ片１２０とともに、挿入口１０２を通して中空の取っ手１００に差し込む。バネつまみ１２２が空洞に差し込まれて内部１０３に触れるとすぐに、このバネつまみ１２２はセラミック片１１０にバネ力を及ぼし、セラミック片をカバー面１１１で内部１０３に押しつける。その後、セラミック片１１０及びバネ片１２０は、カバー・リム１１２がカバー端１６、横のカバー端２６及び移行領域２７と合致するまで、さらに押される。その後、セラミック片１１０は、開口部１９の方向へバネ片１２０によって押され、はめ込まれて係合する。セラミック片を内壁１０３の方向へ押すバネ力、及び、カバー端１６、横のカバー端２６及び移行領域２７で与えられるはめ込みによって、セラミック片は、圧入又ははめ込みにより、開口部１９でブロックされている。
【００３６】
すべての例示の実施形態には共通して、取っ手１０，２０，３０又は１００が料理用容器に固定される固定部分１２がある。特に、この固定部分１２は、５〜２５ミリメータの長さを有することができる。結果として、薄くなった又は欠けた金属部分１３は、料理用容器に近い部分１２の後、５〜２５ミリメータ、特に好ましくは１０〜１５ミリメータの距離で始まるのが有利であり、つかみ領域１５の方向の熱伝導を効果的に妨げることができる。一方で、部分１３の薄くなった又は欠けた金属領域は、料理用容器自体からの熱伝導を低減する傾向があり、他方で、特にガスレンジで見られる、深鍋の端で上がる熱風又は他のガスが、取っ手１０，２０，３０又は１００を熱くすることができない。第１に、セラミック部材７０，８０，９０又は１１０で、くり抜いた又は除いた中間領域１３を閉鎖することによって、熱の遮断が改良され、第２に、このセラミック部材７０，８０，９０又は１１０に起因するはめ込みにより、取っ手の安定性が改良され、最後に、この構成により、特に薄い金属板を好ましくは管状に成形することによって中空に構成される取っ手１０，２０，３０又は１００は、深鍋の端のすぐ近くに上がるガスが入り込んで、この中空の領域を直接暖めることができないつかみ領域１５を形成することができる。移行部分１３自体は、１０〜３０ミリメータ、特に好ましくは１５〜２５ミリメータの長さを有することが有利である。この場合、カバー面９１又は７１は、隣の領域１２，１４と、好ましくは実質的に同様に、低いリム段だけと連結する。図示するようにより、部分１３の残りの金属領域２３を、実質的に水平に配置し、セラミック片６０を、流れるガスとは反対に下方に向けることもできるが、垂直に構成して、流れる熱いガスの主方向に向けることもできる。図には示されていない他の実施形態においては、断熱片６０，７０，８０，９０，１１０が、それぞれ外側に向いた取っ手の半分に配置される。ここで、「半分」という用語は、上述のように、角度の範囲が１８０度より大きくても小さくても可能であるため、主にこちらの側という意味で理解されるべきである。
【００３７】
図は、各場合において、２つの自由端を有する、深鍋のつかみ１０，２０，３０，４０，１００を示す。当業者には、このような方法で、例えば１つの自由端１１しか持たず、部分１２，１３，１４もそれぞれ１つしかない浅鍋つかみも構成可能なことは明らかである。
【００３８】
部分１２，１３、もしあれば、１４及び１５に使用される金属材料は、特にステンレス鋼であるが、台所領域にある取っ手に使用される別の金属でもよい。
【００３９】
使用するセラミック材料としては、例えば、酸化ジルコニウム、ケイ酸アルミニウム・マグネシウム又は他のガラス・セラミック等の、例えば２５０℃、好ましくは３００℃より大きい高い熱安定性、及び、好ましくは５Ｗｋ−１ｍ−１未満の低い熱伝導性を有する、全ての材料が可能である。
【００４０】
部分１２，１４は、実質的に金属製である。しかし、部分１２，１４、特につかみ領域１５の部材が、他の耐熱材料、例えばプラスチック材料からなっても、このような深鍋のつかみは本発明の範囲外にはならないことは、当業者には明らかであろう。他の物質も、好ましくは３００℃より高い温度に耐え、好ましくは５Ｗｋ−１ｍ−１未満の低い熱伝導率を有するならば、これらの熱障壁に使用してもよい。
【図面の簡単な説明】
【００４１】
【図１】図１は、本発明の第1の例示の実施形態による料理用容器のための取っ手の分解斜視図を示す。
【図２】図２は、本発明の第２の例示の実施形態による料理用容器のための取っ手の分解斜視図を示す。
【図３】図３は、取っ手の内部を破線で示した、取り付け状態での図２による取っ手を示す。
【図４】図４は、取っ手の内部を破線で示した、取り付け状態での、本発明の第３の例示の実施形態による料理用容器のための取っ手の斜視図を示す。
【図５】図５は、取り付け状態での、本発明の第４の例示の実施形態による料理用容器のための取っ手の斜視図を示す。
【図６】図６は、本発明の第５の例示の実施形態による料理用容器のための取っ手の分解斜視図を示す。
【図７】図７は、取り付け状態での、本発明の第５の例示の実施形態による料理用容器のための取っ手の斜視図を示す。
【図８】図８は、図６による取っ手の別の分解斜視図を示す。
【符号の説明】
【００４２】
１０    第1の例示の実施形態による取っ手
１１    自由端領域
１２    固定部分
１３    移行部分
１４    取っ手領域の第1の部分
１５    つかみ部分
１６    上部／下部のカバー・リム
１７    閉鎖領域
１８    穴
１９    開口部
２０    第２の例示の実施形態による取っ手
２１    コーナー・リム
２３    残りの金属部分
２６    横のカバー面
２７    移行領域
３０    第３の例示の実施形態による取っ手
３１    末端部
３２    穴
３３    連続穴
３６    周辺端部
３７    閉鎖ふた
３８    穴
４０    第４の例示の実施形態による取っ手
４３    残りの金属領域
６０    セラミック片
７０    セラミック片
７１    カバー面
７４    穴
７５    ネジ
８０    セラミック片
８１    コーナー領域
８２    溝
８３    突き出た突起
８５    保持クリップ
８６    サイド・アーム領域
８７    長手方向のクリップ・アーム
９０    セラミック片
９１    カバー面
９２    内部輪郭面
９３    リム
９４    貫通孔
９５    止めピン
１００  第５の例示の実施形態による取っ手
１０２  挿入口
１０３  内壁
１１０  セラミック片
１１１  カバー面
１１２  カバー・リム
１１３  セラミック本体
１１４  停止面
１１５  背部
１１６  受け口
１２０  バネ片
１２１  基礎部材
１２２  バネつまみ
１２３  バネ脚部
【図１】
2009513195.tif 000003
【図２】
2009513195.tif 000004
【図３】
2009513195.tif 000005
【図４】
2009513195.tif 000006
【図５】
2009513195.tif 000007
【図６】
2009513195.tif 000008
【図７】
2009513195.tif 000009
【図８】
2009513195.tif 000010
【国際調査報告】
2009513195.tif 000011
2009513195.tif 000012
2009513195.tif 000013
2009513195.tif 000014
2009513195.tif 000015
2009513195.tif 000016